(57)【要約】【課題】地震などの外部振動に反応して自動的にスイッチが入り、光や音などを発した後に自動的にスイッチが切れる振動反応型スイッチを提供する。【解決手段】外部振動で金属線１８で吊るされた強磁性体の振り子１７が揺れて、永久磁石２３の中心から離れた振り子２５の位置で永久磁石２３で吸引された状態で導電性の面２４との接触を維持しスイッチが入る。直列に接続した電池からの電流による発熱で変態点以上になると形状記憶合金の金属線１８の変形で振り子２５を吊す長さが短くなり、振り子２５と導電性の面２４の接触が解放されてスイッチが切れ、振り子２５がもとの振り子１７の位置に戻る。変態点以上の温度になるまでの時間、光や音を外部に発する。【選択図】　　　　図１
2004039605.tif 000002
【特許請求の範囲】
【請求項１】
金属線で吊された揺動可能な磁性体素片と、鉛直方向に吊した該金属線の部分と一致した中心軸に回転対称の固定された磁性体の面を該磁性体素片の揺動範囲に対向して配置し、該金属線の少なくとも一部に形状記憶合金を用いる第１の構成に、該磁性体素片と一体の導電性の面と該固定した磁性体と一体の導電性の面の接触時に該金属線を含み連続して電気的導通になる第２の構成に、該磁性体素片が該中心軸と平行に吊された状態で該磁性体素片と一体の導電性の面が該固定した磁性体と一体の導電性の面と離れ、該磁性体素片が該中心軸から一定以上離れて吊された状態で該磁性体素片と一体の導電性の面が該固定した磁性体と一体の導電性の面に接触する第３の構成に、該金属線から該磁性体素片と一体の導電性の面を介し該固定した磁性体と一体の導電性の面までの通電経路に直列に電池を接続する第４の構成に、該中心軸を鉛直方向にした状態で外部の振動で励起されて揺動する該磁性体素片と一体の導電性の面と該固定した磁性体と一体の導電性の面との吸引接触時に、該形状記憶合金に流れる電流発熱による該形状記憶合金の変形で、該磁性体素片と一体の導電性の面と該固定した磁性体と一体の導電性の面の接触が解除される第５の構成にし、第１から第５までの構成により振動に反応し電気的な導通と非導通のいずれかが選択されることを特徴とする振動反応型スイッチ。
【請求項２】
形状記憶合金を前記金属線の全てに用いた前記第１の構成にすることを特徴とする請求項１記載の振動反応型スイッチ。
【請求項３】
形状記憶合金の前記金属線をスプリング形状にした前記第１の構成にすることを特徴とする請求項１記載の振動反応型スイッチ。
【請求項４】
前記磁性体素片を強磁性体に、前記固定した磁性体を永久磁石にし、該永久磁石の前記磁性体素片に対向する面を凹面形状にした前記第１の構成にすることを特徴とする請求項１記載の振動反応型スイッチ。
【請求項５】
前記磁性体素片を強磁性体に、前記固定した磁性体を永久磁石にし、該永久磁石を円環形状にした前記第１の構成にすることを特徴とする請求項１記載の振動反応型スイッチ。
【請求項６】
前記磁性体素型片を永久磁石に、前記固定した磁性体を強磁性体の板にし、該強磁性体の板の面を凹面形状にした前記第１の構成にすることを特徴とする請求項１記載の振動反応型スイッチ。
【請求項７】
前記磁性体素片を永久磁石に、前記固定した磁性体を強磁性体の板にし、該強磁性体の板の中央部を円形状に除去した前記第１の構成にすることを特微とする請求項１記載の振動反応型スイッチ。
【請求項８】
前記通電経路に並列に手動スイッチを、直列に光源を接続することを特徴とする請求項１記載の振動反応型スイッチ。
【請求項９】
前記通電経路に直列に抵抗素子を接続することを特徴とする請求項１、８記載の振動反応型スイッチ。
【請求項１０】
前記中心軸を傾斜させ、吊り下げられた前記磁性体素片と一体の導電性の面と、前記固定した磁性体と一体の導電性の面との距離を変化させる過程で、前記磁性体素片と一体の導電性の面と前記固定した磁性体の導電性の面の間での導通と非導通の変化を検出して、前記磁性体素片の吊り下げる位置を固定することを特徴とする請求項１記載の振動反応型スイッチの製造方法。
【発明の詳細な説明】
【０００１】
【発明の属する技術分野】
本発明は、地震などの揺れに反応して非常用の懐中電灯などに自動的に通電するスイッチに関する。
【０００２】
【従来の技術】
従来より地震の揺れに反応して懐中電灯を自動的に点灯するスイッチとして、実開昭５７−１４３５３６や特開平８−３１５７００があった。実開昭５７−１４３５３６で示された従来例の図９では、地震の揺れによって強磁性体の振り子１が振れて永久磁石２に近接することによる吸引力で導電性部３に接触した状態になる。振り子１は導電性を有し、振り子１を吊るす鎖紐４から振り子１、導電性部３、および連結板５を介して導線６と導線７の間が導通してスイッチがオンの状態になる。一度振り子１が導電性部３と永久磁石２の吸引力で接触した状態になるとその状態を保ち、導線６と導線７に接続された白熱電球が点灯したままになる。振り子１と導電性部３の接触を解除してスイッチをオフにするには、人の手でケース体８か支柱９を上下方向に移動させて制御筒１０で振り子１を押さえ込んで鉛直方向に戻して吊る必要があった。
【０００３】
特開平８−３１５７００で示された従来例の図１０は、永久磁石１１と導電性の金属１２を表面に設けて一体として作られた振り子１３をスプリング１４で吊り下げることで地震の揺れによって振れるようにした。振り子１３の振れがある程度以上大きくなると、永久磁石１１と円筒状の導電性の磁性体金属１５との吸引力で振り子１３の導電性の金属１２と導電性の磁性体金属１５が接触した導通状態になり、リード線１６を介してスイッチがオンする。人の手で強制的に接触を開放してスイッチをオフにしない限り通電状態を保ち、白熱電球を点灯し続けることになる。
【０００４】
【発明が解決しようとする課題】
地震などの外部振動により磁性体の振り子が揺れて磁石の吸引力で振り子の導電性の表面と固定した導電性部分とが接触した状態になり、自動的にスイッチがオンして非常用の白熱電灯が点灯されるが、一度互いに接触した状態になると磁石の吸引力から逃れられずスイッチがオンの状態を続ける。スイッチをオフにするためには、人の手で振り子を強制的に離す必要があった。また、地震以外の衝撃で振り子が大きく振れてスイッチがオンして気付かない場合には、電池は消耗して非常時に使用できなくなる可能性があった。
【０００５】
【課題を解決するための手段】
上記課題を解決するため、本発明の振動反応型スイッチは以下の構成をとる。請求項１で示したように、磁性体素片からなる振り子を揺動可能に金属線で吊るす。金属線の少なくとも一部に形状記憶合金を用いて振り子の吊るされる長さを定まったものにしない構成にする。磁性体素片の振り子に対向して固定した磁性体を配置して、互いに磁力による吸引力で引き合うようにする。振り子がどの方向に振れても吸引力を同じ条件にするため、磁性体素片の振り子の揺動範囲内で鉛直方向に吊るした金属線の部分と一致した中心軸に回転対称な形状に固定した磁性体を形成し、配置する第１の構成にする。
【０００６】
また、連続した通電経路を形成するため、金属線と磁性体素片の振り子と一体の導電性の面とは電気的に接続し、少なくとも振り子が揺動して接触する範囲を導電性の面を一体として有する固定した磁性体にする第２の構成にする。一体の導電性の面とは、それぞれの磁性体自身が導電性の面のもの、表面に導電性の別のものを設けたもの、あるいは直接磁性体に設けずにある程度の間隔で導電性の金属面で形成して一体化したものである。
【０００７】
また、スイッチがオフからオン状態にするため、鉛直方向の中心軸と平行に吊るされた状態で、磁性体素片と一体の導電性の面と固定した磁性体と一体の導電性の面が非振動時に接触せず、一定以上振れた時に接触する相互の距離に成るような第３の構成にする。
【０００８】
電流を流すために、金属線から磁性体素片と一体の導電性の面を介し、固定した磁性体と一体の導電性の面までの通電経路に直列に電池を接続する第４の構成にする。また、スイッチがオンからオフ状態にするため、全体の構成の中心軸を鉛直方向にした状態で外部の振動で励起されて振動する磁性体素片と一体の導電性の面と固定した磁性体と一体の導電性の面が磁石の吸引力で接触して電流が流れ、この電流による発熱で金属線の形状記憶合金が変形することで互いの導電性の面の接触が解除される第５の構成にする。
【０００９】
請求項２で示すように、電流による発熱で線長の変化でスイッチをオン、オフさせるため、金属線を全て形状記憶合金の細線にしてもよい。また請求項３で示すように、金属線を形状記憶合金の細線をスプリング状にしてもよい。あるいは、線径の太い形状記憶合金と線径の細い非形状記憶合金を連結したものでもよい。
【００１０】
請求項４で示すように、振り子である磁性体素片を強磁性体に、固定した磁性体を永久磁石にする。磁性体素片に対向する永久磁石の面を凹面形状にして鉛直方向に静止した状態から振り子が一定以上振れた時に接触するようにする。永久磁石に樹脂磁石あるいはゴム磁石のフレキシブルな複合磁石を用いるとよい。あるいは請求項５で示すように、永久磁石を円環形状にしてもよい。内周側を振り子から遠くした円環形状にしてもよい。
【００１１】
請求項６で示すように、振り子である磁性体素片を永久磁石に、固定した磁性体を強磁性体にする。凹面形状の強磁性体の板、あるいは請求項７で示すように、中央部を円形状に除去した強磁性体の板にする。
【００１２】
請求項８で示すように、自動と手動のスイッチを切り替えるために、金属線、磁性体素片と一体の導電性の面、固定した磁性体と一体の導電性の面からなる通電経路に並列に手動スイッチを接続し、直列に白熱電灯などの光源を接続する。請求項９で示すように、電流の大きさを調整するために通電経路に直列に抵抗素子を接続してもよい。
【００１３】
請求項１０で示すように、振り子である磁性体素片の振れの大きさによる磁性体素片と一体の導電性の面と固定した磁性体と一体の導電性の面の非接触と接触の再現性よくするため、吊り下げる金属線の長さを微調整し、全体の中心軸を傾けて互いの導電性の面の接触から非接触、あるいは非接触から接触の接触状態の変化によって生じる抵抗値の急激な変化を検知して、振り子の位置を固定する製造方法にする。
【００１４】
【作用】
上記のように構成された振動反応型スイッチに大きい地震などの外部振動が加わり、金属線に吊された振り子である磁性体素片が一定以上に振れた場合に、磁性体素片と一体の導電性の面が固定した磁性体と一体の導電性の面と接触して自動的にスイッチがオンになり、片方の磁性体を永久磁石に他方の磁性体を強磁性体にすることで接触状態を保つ。電池からの電流で金属線を形成する形状記憶合金の部分の発熱により温度が上がり形状が変化して吊された長さを短くする。この時に相互の導電性の面の接触が解除されて自動的にスイッチがオフになり、振り子はもとの非接触に吊された状態に戻る。白熱電灯などの光源が接続されていて大きな振動が加わると自動的に点灯し、適当な時間の後に自動的に消灯する。
【００１５】
【発明の実施の形態】
発明の実施の形態を実施例にもとづき図面を参照して説明する。
図１において、本発明の振動反応型スイッチの実施例を断面図で示す。磁性体素片である強磁性体の振り子１７は金属線１８によりクランプ部１９で吊され、金属線１８は形状記憶合金の細線で構成される。クランプ部１９は支持板２０の中央の支持部２１で位置決めされる。全体の構成の中心軸と平行な鉛直方向に静止して吊された振り子１７は、固定ケース２２に固着された固定した磁性体である永久磁石２３と一体の導電性の面２４から対向して離れた状態に保持される。
【００１６】
永久磁石２３は、振り子１７と対向する面が全体の構成の中心軸に対して回転対称な凹面にされる。永久磁石２３の凹面には導電性の面２４が一体として形成され、凹面形状の導電性の面２４は、全体の構成の中心軸から離れるにしたがいクランプ部１９の中心からの距離が小さくなる面で形成される。振り子１７は中心軸から一定以上離れて振れた振り子２５の位置で導電性の面２４に接触し、永久磁石２３に吸引されて接触した状態を保つ。振り子１７は金属の強磁性体で構成するため、表面は導電性の面である。本発明の振動反応型スイッチは、金属線１８から導電性の振り子２５、永久磁石２３と一体の導電性の面２４までの通電経路を形成する。
【００１７】
この通電経路に電池が直列に接続されていると、金属線１８に電流が流れる。電流によるジュール熱により温度が上昇し、金属線１８を形成する形状記憶合金の変態点以上になると形状記憶合金の変形により金属線が短縮し、力の発生により振り子２５が導電性の面２４との接触から解放されて通電経路の電気的な導通が遮断される。
【００１８】
全体の構成の中心軸に回転対称に形成された永久磁石２３の凹面と一体の導電性の面２４の凹面は、中心軸から外周方向にクランプ部１９の中心からの距離が次第に短くなるように形成されるが、振り子１７が永久磁石２３と一体の導電性の面２４と接する位置から外周側に必ずしも同じ曲率の凹面にせず、相対的に大きい曲率にしてクランプ部１９の中心からの距離をほぼ同じにするとよい。金属線１８の形状記憶合金が短縮した際に接触が必ず開放されるためである。
【００１９】
凹面形状の磁極面を有する永久磁石２３に近接して強磁性体の振り子１７が位置する場合、振り子振動する方向での位置の変化に対して磁界の強度変化は大きくない。強磁性体の振り子１７と永久磁石２３の間に働く吸引力は、振り子１７が球形状で、球の直径が永久磁石２３と同程度の厚さを前提にすると、振り子１７の球の中心と、永久磁石２３の半分の厚さと、さらに振り子１７の近接面と永久磁石２３の磁極面の間隔を加えた長さの２乗に逆比例する力に近似的になる。振り子１７が永久磁石２３に吸引されることによる揺動方向の力と金属線１８方向の力の変化は、振り子１７の位置による変化に対して急峻でない。
【００２０】
振り子１７の重さは直径の３乗に比例して大きくなる。磁界により強磁性体の振り子１７に働く吸引力は直径の３乗より低い乗数に比例する。したがって、振り子１７が吸引力で固定され、金属線１８の長さが短くなる変化で固定がはずれて自重でもとの静止位置に揺れなが戻るためには適当な大きさの振り子１７にする必要がある。当然ながら、永久磁石２３のエネルギー積や形状による反磁界を考慮する必要があることは言うまでもない。過度のエネルギー積を必要とせず、柔軟な形状が適す理由から、ゴム磁石などの複合磁石が利用できる。
【００２１】
振り子１７を吊る金属線１８は、長さが大きく変化する形状記憶合金が望ましい。通常の形状記憶合金は、変態点前後での運動ひずみの差として生じる変形である長さ変化の比率は１パーセント程度である。本発明の振動反応型スイッチで用いるには長さ変化がある程度大きいことが必要である。具体的には１ミリメートルほどの長さの変化は必要である。またヒステリシスが小さく、変態点も適当な温度の範囲であることも重要である。
【００２２】
通常の形状記憶合金用いられるＴｉ−Ｎｉ系やＴｉ−Ｎｉ−Ｃｕ系を用い、引っ張り方向に特性を向上した異方性材料で動作ひずみを引っ張り縮み方向に特化した形状記憶合金にすると、５パーセントほどの変化を得ることができる。また、ヒステリシスを小さく、変態点も摂氏６５度程度の扱いやすい温度領域にすることもできる。
【００２３】
振り子１７が揺れて振り子２５の位置で導電性の面２４に接触した状態になると、直列に接続した電池から電流が形状記憶合金の金属線１８に流れる。金属線１８の温度が次第にジュール熱で上昇して変態点以上になると金属線が短縮し、収縮する力で振り子２５は導電性の面２４との接触から解放されて、もとの静止位置に減衰しながら戻る。振り子１７と導電性の面２４との接触時にスイッチが入り（オン）、接触した状態でスイッチが入り続け（オン状態）、接触が解放された時にスイッチが切れる（オフ）。
【００２４】
スイッチが入った状態の時間を決めるパラメーターは複数になる。金属線１８、振り子１７、および永久磁石２３の材料、形状が決められている場合、電池の電圧、負荷の抵抗で決まる。本発明の振動反応型スイッチに用いる形状記憶合金はニクロム線と同程度の比抵抗の値を有する。白熱電球が負荷として電池および本発明の振動反応型スイッチの通電経路と直列に接続された場合、１．５ボルト電池が２個以下で、金属線１８の長さと太さを選択することにより、自動的にオン、オフするスイッチ動作とスイッチオンの持続時間の幅を設定できる。また、他の抵抗素子を直列に接続して調整することも可能である。
【００２５】
地震の場合のように、方向と大きさが定まらない振動が加わると、金属線１８で吊された振り子１７はクランプ部１９の中心から一定の距離を保ち、一定の周期で振れる揺動にならない。特に直下型地震の場合には垂直と水平方向の振動がほぼ同時に起こり、振り子１７は永久磁石２３と一体の導電性の面２４や中心軸から暴れた挙動を振る舞うことになる。暴れた挙動を抑制するため、永久磁石２３の外周部に弾性材２６を設けるとよい。
【００２６】
永久磁石２３は固定ケース２２に固着され、固定ケース２２をねじ部２７でケース２８に６角孔２９で回転させながら組み込み固定する。ケース２８はねじ部３０で電池や、各種の負荷を収納した本体ケースに固定される。
【００２７】
図２は、図１で示した本発明の振動反応型スイッチを一体として組み込んだ非常用の懐中電灯での適用例を、一部を断面構成にして示したものである。当然ながら鉛直方向に振り子１７を吊した金属線１８から金属接点３１を介して電池３２の片方の極３３に接続される。電池３２の他の極３４は白熱電球３５の端子３６からフィラメント３７を介して他の端子３８から反射用の金属３９に至り、反射用の金属３９から永久磁石２３と一体の導電性の面２４に接続される。この接続構成は本発明の振動反応型スイッチの適用例のひとつである、外部振動により自動的にスイッチが入り、白熱電球３５が点灯し、しかる時間点灯が持続し、後スイッチがオフになり点灯が途絶える。
【００２８】
手動スイッチ４０は、本発明の振動反応型スイッチの通電経路と並列に接続されることで白熱電球３５を点灯させ、また切ることができる。白熱電球３５以外のＬＥＤなどの光源、あるいは、ブザーなどの音を発する装置を負荷として接続する応用にも展開できる。
【００２９】
振動反応型スイッチのケース２８は非常用の懐中電灯の本体ケース４１に固定され、固定ケース２２の６角孔２９の部分を支えにして、壁などに固定する支持台４２で取り外し可能に全体を鉛直方向に支持するとよい。
【００３０】
図３は本発明の振動反応型スイッチの他の実施例を示す。図１の実施例と異なるのは、固定した磁性体である永久磁石４３と、それを支持する固定ケース４４の形状である。永久磁石４３は円環状で、内周側がクランプ部４５の中心からより大きい距離になる形状で全体の構成の中心軸に回転対称なけ以上にされる。強磁性体素片の振り子４６は、形状記憶合金の金属線４７に吊るされ、外部振動により一定以上揺れると中心軸から離れた振り子４８の位置で永久磁石４３と一体の導電性の面４９と接触し、ある時間接触した状態を続ける。振り子の表面は導電性の面であり、スイッチとしての動作は図１で説明した実施例と同様である。
【００３１】
円環状の永久磁石４３の内周側の角部５０の近傍では、振り子４６が揺れる方向の磁界の強度分布変化が急峻であるため、振り子４６の重さ、永久磁石４３のエネルギー積、振り子４６と永久磁石４３の距離などによって振り子４６がもとの鉛直方向に吊るされた位置に戻らず、途中の位置でとどまることも生じうる。永久磁石の角部５０と振り子４６の距離は相対的に大きくとる必要がある。
【００３２】
図４は本発明の振動反応型スイッチの他の実施例を示す。図１と図２の実施例と異なるのは、強磁性体素片の振り子５１を吊るす金属線５２にスプリング形状に形成した形状記憶合金を用いている。スプリング形状にすることで、形状記憶合金の変態点前後の温度での変形でスプリングの長さが大きく変化する。
【００３３】
外部振動で一定以上に振り子５１が揺れると、固定した磁性体である円環状の永久磁石５３に吸引されて、振り子５１が永久磁石５３と一体の導電性の面５４に接触し、ある時間接触状態を保つ。永久磁石のエネルギー積が大きいと、角部５５近傍での磁界の強度分布の変化が急峻なため、振り子５１が吸着されたままスプリング形状の金属線５２の縮む力に抵抗してもとの鉛直方向に吊るされた状態にもどらないことも生じる。スイッチとしての動作は図１で説明した実施例と同様である。永久磁石５３の極性の方向は上下方向でも中心方向でもよい。
【００３４】
図５は本発明の振動反応型スイッチの他の実施例を示す。図１から図３の実施例と異なるのは、強磁性体素片の振り子５６を吊るすのに形状記憶合金の金属線５７と非形状記憶合金の金属線５８を用いていることである。外部振動により一定以上に振り子５６が揺れる結果、固定した磁性体である永久磁石５９に吸引されて導電性の面６０と接触し、ある時間接触状態を保つ。形状記憶合金の金属線５７は延び縮みで長さを変化させるのではなく、屈曲変形することで振り子５６が吊るされる長さを変える。強磁性体金属の振り子５６の表面は導電性の面である。スイッチとしての動作は図１で説明した実施例と同様である。他の実施例のように、永久磁石５９の外周近傍に弾性材６１を設けてもよい。
【００３５】
図６は本発明の振動反応型スイッチの他の実施例を示す。図１から図５までの実施例と異なるのは、磁性体素片の振り子６２を永久磁石で形成し、対向する固定した磁性体を強磁性体の板６３で形成することである。強磁性体の板６３は導電性の金属にする。上下方向に極性を有する永久磁石６２は不導体であることが通常で、吊り下げる形状記憶合金の金属線６４と導体である強磁性体の板６３との電気的接触は、金属線６４と接続された金属６５とでなされる。金属６５は強磁性体であるのが好ましい。スイッチとしての動作は上記実施例と同様である。図６の形状の振り子６２は下部が球面状になっていないため、強磁性体の板６３と接触する部分が必ずしも一定しない傾向がある。
【００３６】
図７は本発明の振動反応型スイッチの他の実施例を示す。図６と異なるのは磁性体素片である永久磁石の振り子６６の構成である。上下方向に極性を有する永久磁石６７の下部に半球形状に近似した強磁性体の金属６８を設け、強磁性体の板６９との電気的接触をさせると同時に、吸引強さの変化を大きくし、接触する部分を一定にさせる。スイッチとしての動作は上記実施例と同様である。
【００３７】
さらに図では示さないが、図６と図７の振り子６２と振り子６６に対向する強磁性体の板６３と６９の中央部を円形状に除去した構成の実施例もある。振り子６２、６６の磁気エネルギーが小さい場合に、対向する強磁性体の板の中央部に端部に磁界の急峻な箇所を形成して、振れている振り子６２、６６を捕らえ、接触保持することを可能にする。
【００３８】
本発明の振動反応型スイッチは、磁性体素片の振り子と、それに対向する固定した磁性体との間隔、さらには振り子と一体の導電性の面と、固定した磁性体と一体の導電性の面との間隔を正確に制御することが重要である。精度を上げることは、本発明の振動反応型スイッチの感度ばらつきとスイッチ動作時間の均一化を可能にする要因のひとつである。
【００３９】
図８は本発明の振動反応型スイッチの製造方法を説明するための断面図を示す。図１で示した実施例と構成は同じである。全体の構成の中心軸７０を傾け、中心軸７０に回転対称な永久磁石２３と一体の導電性の面２４上の一定の同心円の一箇所とクランプ部１９の中心が鉛直線上になるようにする。この同心円は振り子１７が振れた際に内周側で接する部分とする。
【００４０】
中心軸７０の傾きを固定した後、永久磁石２３を固着した固定ケース２２を６角孔で回しながら、あるいはクランプ部１９を支持部２１でスライドしながら、金属の強磁性体の振り子１７と導電性の面２４との接触が解放されて非導通になる、あるいは逆に接触が生じて導通になる時に生じる接触抵抗の急峻な変化を検知する。抵抗変化が急峻な振り子１７を吊り下げる位置あるいは金属線の長さで固定する。この方法によって、組み立て調整の前に精度ばらつきがあるものでも組立過程でばらつきを吸収できる。
【００４１】
【発明の効果】
本発明の振動反応型スイッチは、以上説明したように構成されているので、以下に記載されるような効果を奏する。
【００４２】
地震などで生じる振動に反応して自動的に非常用の懐中電灯を点灯し、あるいは他の警報装置を動作させると同時に、ある時間の後、自動的に点灯や動作が切れるスイッチを提供できる。このことは他の原因でスイッチが入っても、自動的に切れることで電池の消耗を小さくでき、非常時に対応する能力を維持する。
【００４３】
さらに、自動的に切れることで電池の消耗に不安がなく、例えば地震に対する非常用の懐中電灯のように、比較的高感度にして大きい地震に対しては必ず反応し点灯させるようにすることが容易になる。
【００４４】
スイッチを自動的に入れて、自動的に切る動作を電気回路的でなく、簡単な構造で構成することで信頼性の優れたスイッチにすることができる。
【図面の簡単な説明】
【図１】本発明の振動反応型スイッチの実施例の断面図を示す。
【図２】図１の実施例を非常用の懐中電灯に適用した例を示す。
【図３】本発明の他の実施例の断面図を示す。
【図４】本発明の他の実施例の断面図を示す。
【図５】本発明の他の実施例の断面図を示す。
【図６】本発明の他の実施例の断面図を示す。
【図７】本発明の他の実施例の断面図を示す。
【図８】本発明の他の実施例の断面図を示す。
【図９】振動に反応する自動スイッチの従来例を示す。
【図１０】振動に反応する自動スイッチの他の従来例を示す。
【符号の説明】
１７、４６、５１、５６　強磁性体の振り子
１８、４７、５２　　　　形状記憶合金の金属線
２３、４３、５３、５９　永久磁石
２４、４９、５４、６２　永久磁石と一体の導電性の面
３２　電池
６２、６７　永久磁石の振り子
６３、６９　強磁性体の板
【図１】
2004039605.tif 000003
【図２】
2004039605.tif 000004
【図３】
2004039605.tif 000005
【図４】
2004039605.tif 000006
【図５】
2004039605.tif 000007
【図６】
2004039605.tif 000008
【図７】
2004039605.tif 000009
【図８】
2004039605.tif 000010
【図９】
2004039605.tif 000011
【図１０】
2004039605.tif 000012